(57)【特許請求の範囲】
【請求項１】
水上に浮くことが出来るキャンドルライトにおいて、透明又は半透明な筒の下端に重りを有し、内部空間の底部に設けた基台にはロウソクを起立し、筒の上部には開閉可能な上蓋を設けると共に上蓋の上端には給排気口を形成し、該給排気口への雨水並びに風の侵入を抑制する為に、薄いプラスチックシートで逆Ｕ字形を成して風が当たることで変形することが出来るカバーを筒の上方に設け、そして、筒下端部には浮力の大きな安定板を取付けるために、該安定板の中央には穴を貫通して筒を嵌め、そして、該安定板は水面に位置し、重りを収容している筒下端部は水面下に位置することを特徴とするキャンドルライト。
【請求項２】
上記ロウソクに代えてＬＥＤランプを備えた請求項１記載のキャンドルライト。
【請求項３】
上記筒に紐を連結し、該紐の下端にはイカリとして機能する重りを連結した請求項１、又は請求項２記載のキャンドルライト。
【請求項４】
上記筒として使用済みのペットボトルを上下逆向きにして用いた請求項１、請求項２、又は請求項３記載のキャンドルライト。
【請求項５】
上記筒として使用済みのペットボトルを上下逆向きにして用い、該ペットボトルの上端部の３側面を切断して開閉可能な上蓋を形成し、そして下端部には重りとして小砂利を入れ、該小砂利の上に基台をセットすると共に、基台に取着した受け皿にロウソクを起立し、上蓋の上方には逆Ｕ形のカバーをペットボトルの両側面に両面テープにて接着し、そして、スポンジ板で構成した安定板の中央に貫通した穴にペットボトルを嵌めて組付けた請求項１、請求項２、又は請求項３記載のキャンドルライト。
【発明の詳細な説明】
【技術分野】
【０００１】
本発明は池、湖、川、又は比較的波の少ない海に浮かべることが出来る水上キャンドルライトに関するものである。ただし、明りはロウソクに限定はせず、ＬＥＤランプも対象とする。
【背景技術】
【０００２】
近年、ロウソクを灯して平和を願うキャンドルライトのイベントが全国各地で行なわれている。例えば、戦没者への追悼と平和を希求する心を次世代へ繋ぐために、また大きな自然災害によって亡くなった多くの人を慰霊する目的でキャンドルライトのイベントが所々で行なわれる。また灯籠流しも同じような目的で行なわれている。このキャンドルライトは透明な筒内にロウソクやＬＥＤランプを収容し、これを公園の歩道などに配列するのが一般的であり、水上に浮かせることはない。
【０００３】
これに対して、灯籠流しは該灯籠を水上に浮かせて行なわれるが、日本各地には、昔からお盆の終わり頃に小さな灯籠や、麦わらで作った舟を川や海に流す、「精霊舟」とか「精霊流し」と呼ばれる風習がある。長崎市内で８月に精霊流しの行事が行なわれているが、これは盆の期間中各家庭に戻ってきた祖先の霊を、精霊船に乗せて、死者の世界へ無事送り返すための儀式とされている。また、広島では８月６日に死没者の霊を弔い、同時広島の復興を願う為に多くの灯籠が流される。
【０００４】
広島や長崎の他にも、福井県永平寺町の「永平寺大灯籠流し」、京都府宮津市の「宮津灯籠流し」、新潟県長岡市の「長岡空襲慰霊柿川灯籠流し」などが知られている。
ところで、従来の灯籠は水上に浮くことが出来るように、木製の基台中央にロウソクを起立し、ロウソクの周りを覆うためのカバーが取付けられている。カバーは薄い紙製であって、その為にロウソクの明りはカバーを通して見ることが出来、また多少の風が吹いてもロウソクは消えないように成っている。
【０００５】
しかし、カバーは出来る限り薄い紙が使われるが、透明でない紙製のカバーはロウソクの明りを十分通すことが出来ず、その為に、イベントとしての効果は少ない。また、従来の灯籠は波がある所では使用不能であり、波によって転倒してしまう。そして、灯籠流しは一般に流れのある所で行なわれることから、最終的には流されてしまい、次年度に再利用することは出来ない。
【０００６】
また、紙製のカバーを有す灯籠は、１年保管するならば、該カバーは汚れると共に他の物に接することで破れてしまい、保管が容易でない。従って、灯籠は１回限りの使い捨てとなり、環境上及び省資源の立場からは好ましくない。これに対して、キャンドルライトは透明な筒を主体とするもので、新たなロウソクをセットすることで毎年使うことが出来る。
【発明の開示】
【発明が解決しようとする課題】
【０００７】
このように、従来の灯籠及びキャンドルライトには上記のごとき問題がある。本発明が解決しようとする課題はこの問題点であり、ロウソクの明りがほぼ１００％透過し、多少の波があっても転倒することなく、さらに水の流れと共に流されない水上キャンドルライトを提供する。
【課題を解決するための手段】
【０００８】
本発明に係るキャンドルライトは水上に浮かぶことが出来る構造と成っている。そこで、透明又は半透明なプラスチック製の筒内の底部にロウソク又はＬＥＤランプがセットされ、下端部には重りを取付けている。上記ロウソク又はＬＥＤランプは筒内に設けた基台の上に取付けられ、基台及びロウソク又はＬＥＤランプは筒上端から出入れすることが出来るように、該筒の上端は開口可能と成っている。また、基台は筒の底に一体的に成形してもよい。
【０００９】
そして、筒上端には給排気口が形成され、しかも給排気口を覆うカバーを上方に取付けている。また、筒の下端部には比較的大きな安定板が取付けられ、筒の揺れを抑制している。筒は安定板の中央に貫通した穴に嵌って組み合わされている。そして、筒から紐が延び、該紐の先端には重りを取付けている。
【発明の効果】
【００１０】
本発明のキャンドルライトは、透明な筒にロウソク又はＬＥＤランプをセットしている為に、明りは筒を透過することが出来、イベント会場の周囲は非常に明るくなって盛上げることが出来る。そして、筒は下端部に重りを備えている為に安定し、しかも内部は空洞であることから浮力は大きく、沈むことはない。しかも下端部には大きな安定板を取付けている為に、波がなければ殆ど揺れることなく安定して起立し、内部にセットしているロウソクが転倒することはない。
【００１１】
また、筒の上端に設けている上蓋を開口することで、基台を内部空間にセットし、そしてロウソクはこの基台上に起立することが出来る。上蓋には給排気口が設けられており、酸欠となってローソクの火が消えることはなく、筒の上方には滑らかに湾曲するカバーを取付けていることで雨が降っても筒内に雨水は入らず、しかも風が吹き込んでローソクの火が消えることは殆どないように成っている。
一方、筒には紐を連結してその先端に重りを取付けている為に、この重りが池などの底に下りることでキャンドルライトが水の流れに左右されて流されることはない。従って、ほぼ定位置に浮いている。
【図面の簡単な説明】
【００１２】
【図１】本発明のキャンドルライトを示す実施例。
【図２】両側面に隙間テープを貼着した基台。
【図３】筒の上端部に設けた上蓋を開いた状態。
【発明を実施するための形態】
【００１３】
図１は本発明に係るキャンドルライトを示す実施例であり、同図の１は筒、２は基台、３はロウソク、４は安定板、５は重りをそれぞれ表している。同図の実施例に示す筒１は使い捨てられたペットボトルを利用しており、このペットボトルを反転してキャップ側を下にし、下端部には砂を入れて重り５としている。そして、上端部を切欠いて開口出来る上蓋７とし、該上蓋７の上端には給排気口８を設けている。
【００１４】
上記重り５の上には基台２をセットし、この基台２の上に受け皿６を取着し、ロウソク３は該受け皿６に収容された状態で起立している。ここで、ロウソク３を立てた基台２がガタ付かないように、両側には隙間テープ９，９を接着し、ペットボトルの内面との間に隙間を生じないようにしている。図２は基台２の両側端面に隙間テープ９，９を貼着した場合を表している。基台２は発泡スチロール板を所定の縦横寸法に切断したものが用いられる。勿論、プラスチック板としてもよく、又は筒と共に一体成形することも可能である。基台２を成形する場合には、ロウソク３の受け皿６も同時成形することが出来る。
ところで、同図に示すペットボトルは四角形の透明筒であって、その３側面が切断されることで上蓋７が形成され、切断されていない側面１７に形成した継手１０を介して上蓋７を開くことが出来る。
【００１５】
図３は上蓋７を開いた場合を表しているが、筒１の下端部に重り５を入れる場合、及び基台２をセットする場合、そして基台２に取着している受け皿６にロウソク３を起立させる場合には、該上蓋７を開いて行うことが出来る。
そして、筒１の上方にはカバー１１が取付けられ、上蓋７の上端に形成した給排気口８から雨水の侵入を防止し、風の吹き込みが抑制させる。そこで、上蓋７を開いて筒１の下端部に重り５を入れ、基台２をセットした後で上記カバー１１が取付けられる。逆Ｕ形をしたカバー１１の両側は両面テープを介して筒１の側面１７，１７に止着されている。
【００１６】
該カバー１１は薄いビニールシート（例えば、クリアーファイル）を逆Ｕ字形として取付け、風が当ることで変形することが出来る。そして、カバー１１の両側は大きく開口している為に、給排気口８から空気の出入は可能であり、基台２にセットしたロウソク３の火が酸欠で消えることはない。勿論、雨水がロウソク３に降りかかることもなく、風が吹き込むことも抑制される。
【００１７】
安定板４は筒１の下端部に配置されるが、該安定板４はスポンジ製の軽い板であり、その為に浮き輪として機能すると共に、筒１の揺れを抑制することが出来る。安定板４の中央には四角形の穴が貫通し、この穴に筒１が嵌って組み合わされ、筒１の側面１７に保持部材１２を設け、下端部に重り５を収容して重く成っている筒１が抜け落ちないようにしている。該保持部材１２，１２としては隙間テープが使用され、筒１の側面１７に接着することが出来る。また、筒１としてペットボトルを使用しないで成形する場合には、保持部材１２と成る小さい凸片を側面１７から突出して一体成形することが可能である。
【００１８】
ところで、このキャンドルライトは池、湖、川、又は海に浮かべることが出来るが、安定板４は水面に位置し、重り５を収容している下端部は水面下に位置する。その為に、筒１の下端のキャップ１３から水が侵入しないようにボンドを付けて該キャップ１３を締めている。
【００１９】
ところで、同図に示す実施例では、筒１として使い捨てのペットボトルを使用しているが、キャンドルライト用の専用筒として別に製作することは可能である。この場合には、内部に砂を入れて重り５とする以外に、下端に金属製の重りを取付けることも出来る。一方、重り５を金型の所定の位置にセットした状態で筒１を成形することも可能である。
【００２０】
また、上蓋７としては独立した部材として成形したものを上端に取付けることも可能である。そして、筒１の上方に取付けている逆Ｕ形のカバー１１を上蓋７と一体的に成形する場合もある。上蓋７と一体成形させたカバー１１の場合には風が当って変形することは出来にくいが、上蓋７との間に空間を形成してカバー１１を上蓋７と共に一体化することは可能である。
【００２１】
要するに数多くのキャンドルライトを製作するに当って、組立て工数を出来る限り抑える為には、部品点数を少なくするように他の部品と一体的に成形する方が便利である。ロウソク３を起立する受け皿６も基台２と共に一体成形することが可能である。
【００２２】
図１において、下端のキャップ部位から紐１４を下方へ延ばし、該紐１４の下端には重り１５を連結している。この重り１５はキャンドルライトを水上に浮かべた際に、池や湖の底に達してイカリとして機能することで、該キャンドルライトは水の流れに沿って流されないようにほぼ定位置に浮くことが出来る。紐１４が筒１と連結する箇所は自由であり、必ずしも筒１の下端に限るものではない。
筒１の中央部に形成している窪み１６にビニールロープを結び、該ビニールロープの下端に重り１５を連結してもよい。
【００２３】
（筒としてペットボトルを使用する場合に必要な材料）
本発明はキャンドルライトを水上の浮かべることが出来るように工夫したものであり、図１に示すペットボトルを筒１として使用する場合、必要な材料は次の通りである。
（１）筒１としてのペットボトルは角型で透明又は半透明で、大きさは２Ｌサイズでキャップ付き。
（２）下端部に入れる重り５としては小砂利５００ｇ。
（３）ロウソク３は６時間用、直径３．５ｃｍ
（４）薄いプラスチックシートから成るカバー１１を筒上端部に取付ける為の両面テープ（幅１．５ｃｍ×長さ８ｃｍ）。
（５）基台２を構成する発泡スチロール板（厚さ１．５ｃｍ、縦５ｃｍ×横９ｃｍ）。
（６）隙間テープ（厚さ１ｃｍ×幅１．５ｃｍ）。
（７）安定板４を構成するスポンジ板（厚さ１ｃｍ、直径３０〜３４ｃｍ）。
（８）重り１５としては魚釣り用の２００ｇ、紐１４は太さ３ｍｍで長さは自由。
（９）カバー１１となるクリアーファイル。
【００２４】
（筒としてペットボトルを使用した場合の具体的な製作手順）
（１）ペットボトルの底に直径６．５ｃｍの給排気口８をあける。
（２）ペットボトルの下端部（使う時には上端部となる）の３側面１７，１７，１７をカッターナイフで切断する。ただし、１側面１７は切断しないで残す。
（３）キャップ１３のネジ部にボンドを付けて締付ける。水の侵入を防止する為である。
（４）切欠いた上蓋７を開いて小砂利５００ｇを入れる。
（５）発泡スチロール板をカッターナイフで５ｃｍ×９ｃｍの大きさに切断し、両側端面に隙間テープ９，９を貼着して基台２を作る。
（６）受け皿６に両面テープにてロウソク３を起立し、該受け皿６を基台２の上に両面テープにて固定する。
（７）ビニールロープでペットボトルの側面に形成している窪み１６を縛り、結び目が長辺側の中央に位置するようにする。そして、ビニールロープ先端には魚釣り用の重り２００ｇを連結する。逆Ｕ形のカバー１１の両側が長辺側に止着されることで、結び目が長辺側中央に位置させて風が吹いても大きく揺れることなく安定する。
（８）保持部材１２となる隙間テープ２本を、ペットボトル内に収める基台２の高さと安定板４の高さがほぼ一致するようにペットボトルの長辺側面１７，１７に貼着する。
（９）ロウソク３を取付けた基台２をペットボトルに収容し、砂利をならして水平にセットする。この場合、基台２の両側に設けている隙間テープ９，９はペットボトル内面に接してガタ付くことなく安定する。
（10）風雨対策として、カバー１１となるＡ４版のクリアーファイルを４等分し（縦３０ｃｍ×横１０ｃｍ）、逆Ｕ形に湾曲してペットボトルの対向する側面１７，１７に両面テープにて取付ける。
（11）安定板４の中央に長方形の穴を形成し、この穴にペットボトルを嵌めて組み合わせる。
【００２５】
以上述べたキャンドルライトは筒１としてペットボトルを用いた場合の具体例であり、成形にて筒１を製造する場合には違ってくる。
【符号の説明】
【００２６】
１   筒
２   基台
３   ロウソク
４   安定板
５   重り
６   受け皿
７   上蓋
８   給排気口
９   隙間テープ
10   継手
11   カバー
12   保持部材
13   キャップ
14   紐
15   重り
16   窪み
17   側面
【図１】
0005562304.tif 000002
【図２】
0005562304.tif 000003
【図３】
0005562304.tif 000004